(57)【要約】      （修正有）【課題】掃除機を提供する。【解決手段】掃除機は筐体１を含み、筐体にはダストを格納するダストケースが設けられ、ダストケースはダストが入る入口を備え、ダストケースの入口にはローラー４が設けられ、ローラーは筐体に回転連結され、ローラーの回転により外部のダストをダストケース内に掃き、ダストケースの入口には入口の開／閉を可能にするカバーが設けられ、ロッドと筐体は垂直方向に沿って可動連結され、ロッド上端はカバーに連結され、ロッドの垂直移動によりカバーを移動させ、前記掃除機は床を清掃する時、ロッドは床に触れ、ロッドの上方への移動によりカバーを移動させ、ダストケースの入口を開け、前記掃除機は床から離れる時、ロッドは床から離れ、カバーはダストケースの入口を閉める。【選択図】図１
0003225675.tif 000002
【実用新案登録請求の範囲】
【請求項１】
ダスト格納用のダストケースを設置する筐体を含み、ダストケースはダストが入る入口を備え、筐体に回転連結されるローラーはダストケースの入口に設けられ、ローラーの回転より外部のダストをダストケース内に掃き込むように形成される掃除機であって、ダストケースの入口には入口の開／閉を可能にするカバーが設けられ、ロッドと筐体は垂直方向に沿って可動連結され、ロッド上端はカバーに連結され、ロッドの垂直移動によりカバーを移動させ、前記掃除機は床を清掃する時、ロッドは床に触れ、ロッドの上方への移動によりカバーを移動させ、ダストケースの入口を開け、前記掃除機は床から離れる時、ロッドも床から離れ、カバーはダストケースの入口を閉めることを特徴とする掃除機。
【請求項２】
前記カバーは筐体に回転連結されることを特徴とする、請求項１に記載の掃除機。
【請求項３】
前記カバーに連動軸が設けられ、ロッドの上端に可動溝が設けられ、連動軸は可動溝に設けられ、可動溝の垂直移動により連動軸を介してカバーを回転させ、又は連動軸と可能溝の連結対象は互いに入れ替わることを特徴とする、請求項２に記載の掃除機。
【請求項４】
前記カバーとロッドの間にリンク機構が設けられ、リンク機構はロッドの垂直移動による作用力をカバー回転の作用力に変換することを特徴とする、請求項２に記載の掃除機。
【請求項５】
前記カバーは筐体に線形かつ摺動に連結されることを特徴とする、請求項１に記載の掃除機。
【請求項６】
さらに弾性部を含み、弾性部及び連動軸又はカバーは互いに連結され、弾性部は連動軸又はカバーに対して、カバーが入口を閉める作用力を加えることを特徴とする、請求項１ないし５のいずれかの１に記載の掃除機。
【請求項７】
回転設置されるホイールがロッドの下端に設けられることを特徴とする、請求項１ないし５のいずれかの１に記載の掃除機。
【請求項８】
回転設置されるホイールがロッドの下端に設けられることを特徴とする、請求項６に記載の掃除機。
【請求項９】
筐体にはローラーを取り付けるための取付溝が設けられ、取付溝に開口部が設けられ、ローラーには回転連結されるフランジブッシュが設けられ、ローラーは取付溝に取り付けられた場合、フランジブッシュの外径が相対的に大きいブッシュは取付溝の外部周縁部を覆い、カバーは取付溝を覆い取付溝の開口部を閉めることを特徴とする、請求項１に記載の掃除機。
【請求項１０】
前記フランジブッシュの外径が相対的に小さいブッシュに歯部が設けられ、カバーに歯部に対応する歯溝があり、カバーは取付溝を覆う時、歯部と歯溝は噛み合わせることを特徴とする、請求項９に記載の掃除機。
【請求項１１】
回転軸は筐体に回転連結され、ローラーに伝達連結溝が設けられ、伝達連結溝に開口部を備え、回転軸は伝達連結溝の開口部を介して伝達連結溝に伝達連結されることを特徴とする、請求項１に記載の掃除機。
【請求項１２】
回転軸の断面は非円形であることを特徴とする、請求項１に記載の掃除機。
【考案の詳細な説明】
【技術分野】
【０００１】
本実用新案は掃除機に関し、清掃工具技術分野に属する。
【背景技術】
【０００２】
従来の掃除機は床を掃除するために使用され、掃除機内にダスト収集ケースが設けられ、掃除する際には、掃除機のローラーが回転して床のダストをダスト収集ケースに掃き込み、１つのエリアをきれいに掃除し、他の場所に移動する必要がある場合、収集ケース内のダストは上下の揺れによりダストの入口から漏れやすくて、利用者を悩ませている。
【考案の概要】
【考案が解決しようとする課題】
【０００３】
本実用新案は、従来技術の不足を克服し、合理的な構造設計、スムーズな使用、便利なメンテナンスを実現する掃除機を提供することを目的とする。
【課題を解決するための手段】
【０００４】
本実用新案の技術案として提供されるのは、筐体を含む掃除機である。当該筐体にはダスト格納用のダストケースが設けられ、ダストケースはダストが入る入口を備え、ダストケースの入口にはローラーが設けられ、ローラーは筐体に回転連結され、ローラーの回転により外部のダストをダストケース内に掃き込み、ダストケースの入口には入口の開／閉を可能にするカバーが設けられ、ロッドと筐体は垂直方向に沿って可動連結され、ロッド上端はカバーに連結され、ロッドは垂直方向に沿って移動することによりカバーを移動させ、前記掃除機は床を清掃する時、ロッドは床に触れ、ロッドの上方への移動によりカバーを移動させ、ダストケースの入口を開け、前記掃除機は床から離れる時、ロッドも床から離れ、カバーはダストケースの入口を閉める。
【０００５】
そのうち、前記カバーは筐体に回転連結される。
【０００６】
そのうち、前記カバーに連動軸が設けられ、ロッドの上端に可動溝が設けられ、連動軸は可動溝に設けられ、可動溝の垂直移動により連動軸を介してカバーを回転させ、又は連動軸と可能溝の連結対象は互いに入れ替わる。
【０００７】
そのうち、前記カバーとロッドの間にリンク機構が設けられ、リンク機構はロッドの垂直移動による作用力をカバー回転の作用力に変換する。
【０００８】
そのうち、前記カバーは筐体に摺動連結される。
【０００９】
そのうち、さらに弾性部を含み、弾性部及び連動軸又はカバーは互いに連結され、弾性部は連動軸又はカバーに対して、カバーが入口を閉める作用力を加える。
【００１０】
そのうち、回転設置されるホイールがロッドの下端に設けられる。
【００１１】
そのうち、筐体にはローラーを取り付けるための取付溝が設けられ、取付溝に開口部が設けられ、ローラーには回転連結されるフランジブッシュが設けられ、ローラーは取付溝に取り付けられた場合、フランジブッシュの外径が相対的に大きいブッシュは取付溝の外部周縁部を覆い、カバーは取付溝を覆い取付溝の開口部を閉める。
【００１２】
そのうち、前記フランジブッシュの外径が相対的に小さいブッシュに歯部が設けられ、カバーに歯部に対応する歯溝があり、カバーは取付溝を覆う時、歯部と歯溝は噛み合わせる。
【００１３】
そのうち、回転軸は筐体に回転連結され、ローラーに伝達連結溝が設けられ、伝達連結溝に開口部を備え、回転軸は伝達連結溝の開口部を介して伝達連結溝に伝達するように連結される。
【００１４】
そのうち、回転軸の断面は非円形である。
【考案の効果】
【００１５】
本実用新案は従来の技術と比べ、次の利点と効果を有する。本実用新案は従来の掃除機の入口が非掃除状態下で閉鎖できないという問題、及び非掃除状態下でダストが上下の揺れにより入口から漏れやすいという問題を解決する。本出願はカバーの制御に最も簡単かつ実用な設計を採用し、頻繁な操作においても高い安定性と信頼性がある。
【００１６】
本実用新案のローラーは取外可能な構造を採用し、ローラーの迅速な着脱を実現し、後期のメンテナンスが便利である。
【図面の簡単な説明】
【００１７】
【図１】本実施形態の構造を示す図である。
【図２】図１の別の角度から見た構造を示す図である。
【図３】本実施形態に係るダストケースの入口開放状態を示す構造模式図である。
【図４】本実施形態に係るダストケースの入口閉鎖状態を示す構造模式図である。
【図５】本実施形態においてリンク構造を用いてカバーを制御することを示す構造模式図である。
【考案を実施するための形態】
【００１８】
明細書の図面に従って本実用新案をさらに説明する。
【００１９】
実施形態１
図１〜４に示すように、筐体１を含む掃除機が提供される。筐体１にはダスト格納用のダストケースが設けられ、ダストケースはダストが入る入口１０を備え、ダストケースの入口１０にローラー４が設けられ、ローラー４は筐体１に回転連結され、ローラー４の回転により外部のダストをダストケース内に掃き込み、ダストケースの入口１０には入口１０の開／閉を可能にするカバー２が設けられ、ロッド３と筐体１は垂直に可動連結され、本実施形態では、筐体１には垂直に設置されるチャンネルが設けられ、当該チャンネルの両端は貫通し、ロッド３は当該チャンネル内にチャンネルの４つの壁の制限を受けるように設けられ、ロッド３はチャンネルの伸び方向に沿って移動することができる。ロッド３の上端はカバー２に連結され、本実施形態に係るロッド３の上端はロッド３の上端の末端に限らず、連結される構造は回転、摺動、固定を含む。ロッド３の垂直移動によりカバー２を移動させる。前記掃除機は床を清掃する時、ロッド３は床に触れ、ロッド３の上方への移動によりカバー２を移動させ、ダストケースの入口１０を開ける。前記掃除機は床から離れる時、ロッド３も床から離れ、カバー２はダストケースの入口１０を閉める。本実施形態では、掃除機は床を掃除する時、ロッド３は垂直に移動可能で、ロッド３の下端は床の支えにより突き上げられて上へ移動し、ロッド３の上への移動によりカバー２を、ダストケースの入口１０の開き位置まで移動させる。掃除機は持ち上げられて床から離れる時、ロッド３に対する床の支えがなくなり、カバー２は自重力によりダストケースの入口１０を閉めるか、カバー２に外力を加えてダストケースの入口１０を閉める。
【００２０】
本実施形態では、前記カバー２は筐体１に回転連結される。具体的に実施する時には、カバー２に丸軸が設けられ、筐体１には丸軸を取り付けるための軸穴又は軸溝が設けられ、両者は取り付けられた後、カバー２は丸軸を回転点として回転する。
【００２１】
本実施形態では、前記カバー２には固定連結される連動軸２１が設けられ、ロッド３の上端に可動溝３０が設けられ、連動軸２１は可動溝３０に設けられ、可動溝３０の幅は連動軸２１の外径よりやや大きく、可動溝３０は垂直に移動し、連動軸２１は可動溝３０の長手方向に沿って移動によりカバー２を回転させ、又は連動軸２１と可動溝３０の連結対象は互いに入れ替え、すなわち、ロッド３に連動軸２１が設けられ、カバー２に可動溝３０が設けられ、連動軸２１は可動溝３０に設けられる。
【００２２】
図５に示すように、カバー２を制御するための別の連結方式は、本実施に係るカバー２とロッド３の間にリンク構造が設けられ、リンク構造はロッド３の垂直移動による作用力を、カバー２回転の作用力に変換することである。具体的に実施する時には、リンク構造の一実施形態は、リンク３３の両端はそれぞれカバー２とロッド３に回転連結され、ロッド３は上へ移動する時、リンク３３を介してカバー２を突き上げることである。その他の変形方式は、２個以上のリンクを設置し、リンク３３の間に互いに作用し合いことである。上述した実施形態はリンク構造を一般的にまとめたものであり、当業者にとって明確且つ実施可能であるため、ここで省略する。
【００２３】
本実施形態に係るカバー２は筐体１に摺動連結される。好ましくは、筐体１にはカバー２を取り付けるためのスライド溝が設けられ、カバー2はスライド溝内に摺動可能に設置される。ロッド３はカバー２に固定連結され、ロッド３の垂直移動によりカバー２をスライド溝に摺動させる。
【００２４】
本実施形態はさらに弾性部３１を含み、弾性部３１及び連動軸２１又はカバー２は互いに連結され、弾性部３１は連動軸２１又はカバー２に対してカバー２が入口１０を閉める作用力を加える。弾性部３１はねじりバネであり、ねじりバネの一端はカバー２に連結され、ねじりバネの他端は筐体１に連結され、入口１０が開く時、ねじりバネは圧力を受け、カバー２に対して入口１０を閉めるように反力を加える。弾性部３１はバネであり、バネはロッド３に当接してロッド３を下へ移動させることにより、カバー２は入口１０を閉める傾向にある。
【００２５】
本実施形態に係るロッド３の下端には回転設置されるホイール３２が設けられる。通常掃除機の下方にホイール３２が設けられ、ホイールをロッド３の下端に設置した後、ロッド３の下端と床の間も転がり摩擦が発生し、抵抗が小さいので、ホイールを増設する必要がない。
【００２６】
本実施形態に係る筐体１にはローラー４を取り付けるための取付溝１２が設けられ、取付溝１２に開口部が設けられ、ローラー４の端部には回転連結されるフランジブッシュ１３、ローラー４は取付溝１２に取り付けられた場合、フランジブッシュ１３の外径が相対的に大きいブッシュは取付溝１２の外部周縁部を覆い、カバー１５は取付溝１２を覆い取付溝１２の開口部を閉める。フランジブッシュ１３はダストが取付溝１２に入ってローラー４の回転を妨害することを回避できる。
【００２７】
本実施形態に係るフランジブッシュ１３の外径が相対的に小さいブッシュに歯部１３１が設けられ、カバー１５に歯部１３１に対応する歯溝１３２があり、カバー１５は取付溝１２を覆う時、歯部１３１と歯溝１３２は噛み合わせる。この構造によりフランジブッシュ１３を効果的に固定できる。
【００２８】
本実施形態に係る回転軸１４は筐体１に回転連結され、ローラー４に伝達連結槽４１が設けられ、伝達連結槽４１は開口部を備え、回転軸１４は伝達連結槽４１の開口部を介して伝達連結槽４１に伝達するように連結される。開口部構造を設置すると、ローラー４の着脱は径方向に沿って行われ、着脱しやすくてスペースを節約できる。
【００２９】
本実施形態に係る回転軸１４の断面は非円形である。非円形は周方向応力の伝達を実現し、非円形は五辺形、六辺形又は八辺形を含み、正多角形は取り付ける時に位置を合わせる必要がなく、簡単且つ迅速に取り付けることができる。
【００３０】
本明細書に記載される実施形態は、理想的な模式図を用いて平面図および／または断面図を参照して説明する。したがって、例示的な図面は製造技術及び／又は公差によって変更することができる。したがって、開示される実施形態は図面に示される実施形態に限定されず、むしろ、製造工程の上で形成される構成の変形を含む。したがって、図面に示された領域は例示的なものであり、図面に示された領域の形状は構成要素の領域の形状を例示するが、本実用新案の各態様はこれに限定されない。
【図１】
0003225675.tif 000003
【図２】
0003225675.tif 000004
【図３】
0003225675.tif 000005
【図４】
0003225675.tif 000006
【図５】
0003225675.tif 000007